(57)【要約】【課題】　直結型給水装置において、流入側圧力が低下した際に、頻繁にポンプの起動停止を繰り返すことなく、安定な流入側圧力低下時の対策を行うことができる給水装置を提供する。【解決手段】　配水管に接続された流入管１２と、この流入管に接続された加圧ポンプ１０と、この加圧ポンプの吐出側に接続された吐出管１３と、前記流入管に接続された加圧ポンプの流入圧力を検出する流入圧力検出器１６と、前記ポンプを制御する制御手段２２とを備え、該制御手段は、前記流入圧力があらかじめ定めた圧力設定値よりも低い状態が一定時間継続した時に前記ポンプを強制的に停止する停止信号、及び警報信号を出力する。【選択図】　　図１
2004003523.tif 000002
【特許請求の範囲】
【請求項１】
　配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、
　該制御手段は、前記流入圧力があらかじめ定めた圧力設定値よりも低い状態が一定時間継続した時に前記ポンプを強制的に停止する停止信号、及び警報信号を出力することを特徴とする給水装置。
【請求項２】
　配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、
　該制御手段は、前記流入圧力があらかじめ定めた圧力設定値よりも低い状態が一定時間継続した時に前記ポンプを強制的に停止する停止信号、及び警報信号を出力し、その後前記流入圧力が回復すると前記強制停止信号を自動解除する動作とを行うことを特徴とする給水装置。
【請求項３】
　前記流入圧力の回復時に一定時間継続したか否かが判断され、継続した時に前記強制停止信号を自動解除する動作とを行うことを特徴とする請求項２に記載の給水装置。
【請求項４】
　配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、
　該制御手段は、前記流入圧力があらかじめ定めた圧力設定値よりも低い状態が一定時間継続した時に前記ポンプを強制的に停止する停止信号、及び警報信号を出力し、その後前記強制停止信号が解除されると前記加圧ポンプを起動することを特徴とする給水装置。
【請求項５】
　配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、
　該制御手段は、前記流入圧力があらかじめ定めた圧力設定値よりも低い時に前記ポンプを強制的に停止する停止信号、及び警報信号を出力し、その後前記流入圧力が所定時間以上継続して回復すると前記強制停止信号を自動解除することを特徴とする給水装置。
【請求項６】
　前記圧力設定値は９８ｋＰａ（１０ｍＡｑ）程度であることを特徴とする請求項１乃至５のいずれか１項に記載の給水装置。
【請求項７】
　前記流入圧力があらかじめ定めた圧力設定値よりも低い状態が一定時間継続したことを検出するタイマを設け、前記流入圧力の低下及び回復によるポンプの起動頻度が一定値以上である場合は、前記タイマの設定時間を長くすることを特徴とする請求項１乃至６のいずれか１項に記載の給水装置。
【請求項８】
　配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、
　前記制御手段は、前記流入圧力があらかじめ定めた圧力設定値よりも低い時に前記ポンプを強制的に停止する停止信号、及び警報信号を出力し、その後前記強制停止信号が解除されると前記加圧ポンプを起動し、この起動時にポンプ速度をゆっくり加速することを特徴とする給水装置。
【請求項９】
　前記制御手段は前記強制停止信号が解除されると、前記加圧ポンプの加速時間を通常より長くして起動することを特徴とする請求項８記載の給水装置。
【発明の詳細な説明】
【技術分野】
【０００１】
　本発明は給水装置に係り、特に水道の配水本管から加圧ポンプを介して直接末端給水機器へと連結された、いわゆる直結型の給水装置に関する。
【背景技術】
【０００２】
　図１は、係る給水装置のシステム構成の一例を示す。ポンプの流入側には、水道の配水本管に接続される給水管１２を備えており、ポンプ１０の吐出側には、末端給水機器に接続される吐出管１３を備えている。ポンプ１０の吐出側には逆止弁１８が挿入され、ポンプ１０が停止している際に、吐出側から流入側に水が逆流しないようになっている。又、ポンプ１０の流入側と吐出側は連結管１９でバイパスされ、配水本管の圧力が上昇し、ポンプの目標吐出圧力を超えた場合には、ポンプ１０を介さずに直接吐出管１３側に給水するようになっている。尚、連結管１９にも前述と同様の理由により逆止弁１８が備えられている。圧力タンク１４，１５は、ポンプの流入側及び吐出側の圧力の変動を緩やかにするために設けられたものであり、配水本管及び末端給水機器側に対してバッファとしての役割を果たしている。
【０００３】
　ポンプ１０は、三相交流の商用電源に接続された周波数・電圧変換装置（インバータ）２１を備えたモータ１１により可変速で駆動される。
　制御部２２は、流入圧力検出器１６及び吐出圧力検出器１７の信号に基づき、可変速手段２１に信号を送り、ポンプ１０の回転数を任意の速度に加速又は減速制御する。
【０００４】
　ポンプ１０の吐出側には圧力検出器１７を備え、ポンプ１０の吐出圧力を検出するようになっている。圧力検出器１７により検出されたポンプの吐出圧力信号は、制御部２２に伝達され、ポンプ１０を駆動するモータ１１を、インバータ２１により可変速運転制御する。即ち、制御部２２はポンプ１０の流入側の圧力が変動しても、常に一定の水圧を吐出側に接続された末端給水機器に供給するようにモータ１１を可変速制御する。
【０００５】
　ポンプ１０の流入側にも圧力検出器１６を備え、ポンプ１０の流入側の圧力を常に監視している。一般に水道等の配水本管は多数の給水管に分岐し、そこから多数の末端給水機器に給水を行っている。このため配水本管の水圧が低下すると、多数の給水管の水圧の低下に通じ、末端給水機器で水の出方が十分でなくなる等の問題が生じる。このため、配水本管の圧力が低下した場合には、ポンプの運転を継続すると更にポンプの流入側の水圧が低下することになる。又、ポンプ流入側がポンプの運転により負圧になる場合には、外部より給水管１２に排水、雨水等が浸入する恐れがある。これらの事情からポンプ流入側の圧力が一定値以下に低下した場合には、まずこの圧力の低下を検出し、ポンプを停止する等の流入側圧力低下時の対策が行なわれている。
【０００６】
　特開平５−１１８２８０号公報、特開平５−２６３４４４号公報、特開平５−２４０１８６号公報等によれば、加圧ポンプの吐出側の圧力を一定に保つことにより、末端給水機器へ安定した一定圧力の水を常に供給できるように、ポンプの速度を増減する技術が開示されている。又、配水本管に水圧の低下をきたさないように、ポンプの流入側圧力が低下した際には、ポンプの速度を減速する、又は停止することにより、配水本管側の圧力の低下を防止する技術等が開示されている。
【０００７】
　実願平３−１６６０２号実用新案登録出願に添付された明細書及び図面には、従来の流入側圧力低下時の制御フローの一例が開示されている。この制御フローは、まず流入圧力を検出して、次に流入圧力と設定値の比較を行う。流入圧力が設定値よりも高い場合には、流入圧力が保護されるべきレベルでないので、そのまま運転を継続する。流入圧力が設定値よりも低い場合には、流入圧力保護のレベルであるので、警報信号を出力してポンプを停止する。
【発明の開示】
【発明が解決しようとする課題】
【０００８】
　しかしながら、ポンプ起動時に流入圧力が一次的に数秒下がる現象がある。従来このポンプ起動時の一次的な流入圧力低下で、ポンプが停止してしまうという不具合があった。ポンプ流入側が設定圧力よりも高くなった時にポンプ停止信号を自動解除するように構成した場合でも、ポンプが起動した時の流入圧力の低下でポンプが停止し、ポンプが停止すると流入圧力が復帰するためポンプがすぐに起動する。ポンプが起動すると、流入圧力が低下するためすぐにまた停止するという動作が繰り返されるという不具合があった。
【０００９】
　本発明は、上述した事情に鑑みて為されたもので、直結型給水装置において、流入側圧力が低下した際に、頻繁にポンプの起動停止を繰り返すことなく、安定な流入側圧力低下時の対策を行うことができる給水装置を提供することを目的とする。
【課題を解決するための手段】
【００１０】
　本発明の給水装置は、配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、該制御手段は、前記流入圧力があらかじめ定めた圧力設定値よりも低い状態が一定時間継続した時に前記ポンプを強制的に停止する停止信号、及び警報信号を出力することを特徴とする。
【００１１】
　上述した本発明によれば、ポンプ起動時の一時的な流入圧力の低下は、流入圧力が流入圧力設定値よりも低い状態が一定時間継続することにより、ポンプの強制停止信号、及び、警報信号が出力されるようになっているため、不用意にポンプ停止、或いは警報の発令となることがない。
【００１２】
　又、流入圧力が回復した際に、流入圧力が流入圧力設定値を越えている場合に、ポンプの強制停止信号出力を自動解除する動作を行うので、確実に流入圧力が回復した状態でポンプを起動でき、同様に流入圧力設定値付近でのポンプの起動停止の繰返しという問題が防止される。
【００１３】
　また、本発明の給水装置は、配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、該制御手段は、前記流入圧力があらかじめ定めた圧力設定値よりも低い状態が一定時間継続した時に前記ポンプを強制的に停止する停止信号、及び警報信号を出力し、その後前記流入圧力が回復すると前記強制停止信号を自動解除する動作とを行うことを特徴とする。
　前記流入圧力の回復時に一定時間継続したか否かが判断され、継続した時に前記強制停止信号を自動解除する動作とを行うようにしてもよい。
【００１４】
　また、本発明の給水装置は、配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、該制御手段は、前記流入圧力があらかじめ定めた圧力設定値よりも低い状態が一定時間継続した時に前記ポンプを強制的に停止する停止信号、及び警報信号を出力し、その後前記強制停止信号が解除されると前記加圧ポンプを起動することを特徴とする。
【００１５】
　また、本発明の給水装置は、配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、該制御手段は、前記流入圧力があらかじめ定めた圧力設定値よりも低い時に前記ポンプを強制的に停止する停止信号、及び警報信号を出力し、その後前記流入圧力が所定時間以上継続して回復すると前記強制停止信号を自動解除することを特徴とする。
【００１６】
　前記圧力設定値を９８ｋＰａ（１０ｍＡｑ）程度としてもよい。
　前記流入圧力があらかじめ定めた圧力設定値よりも低い状態が一定時間継続したことを検出するタイマを設け、前記流入圧力の低下及び回復によるポンプの起動頻度が一定値以上である場合は、前記タイマの設定時間を長くしてもよい。
【００１７】
　また、本発明の給水装置は、配水管に接続された流入管と、この流入管に接続された加圧ポンプと、この加圧ポンプの吐出側に接続された吐出管と、前記流入管に接続された加圧ポンプの流入圧力を検出する流入圧力検出器と、前記ポンプを制御する制御手段とを備え、前記制御手段は、前記流入圧力があらかじめ定めた圧力設定値よりも低い時に前記ポンプを強制的に停止する停止信号、及び警報信号を出力し、その後前記強制停止信号が解除されると前記加圧ポンプを起動し、この起動時にポンプ速度をゆっくり加速することを特徴とする。
　前記制御手段は前記強制停止信号が解除されると、前記加圧ポンプの加速時間を通常より長くして起動してもよい。
【発明の効果】
【００１８】
　本発明は、直結型の給水装置において、流入圧力が低下した時に、従来のように直ちに警報を出力する、またはポンプを停止するのではなく、一定の確認時間の間、状態が継続していることを条件として、しかる後にポンプの強制停止及び警報の出力をするようにしたものである。従って、流入圧力が低下した場合にも、不用意にポンプを強制停止させないため、安定な給水を確保できる。また、ポンプがゆっくり起動されると、流入側の一時的な圧力の低下がなく、起動停止の繰り返しが防止される。
【発明を実施するための最良の形態】
【００１９】
　以下、本発明の一実施例について添付図面を参照しながら説明する。尚、各図中同一符号は、同一又は相当部分を示す。
【００２０】
　本実施例においても、給水管１２に加圧ポンプ１０が直結され、末端給水機器に吐出管１３から直結給水するシステム構成は、図１に示すとおりである。そして、加圧ポンプ１０は吐出圧力検出器１７の信号により、ポンプ吐出側の供給水圧が一定となるようにインバータ等の可変速手段２１でポンプ回転速度を増減する吐出圧力制御が行われる。また、流入圧力が低下した場合に、配水本管に悪影響を及ぼさないように、所定の設定圧力以下になると、警報する、又はポンプを強制停止する流入圧力制御が以下に述べるように行われる。
【００２１】
　図２は、本発明の第１実施例の給水装置の制御部分の構成を示す。制御部２２には、流入圧力検出器１６から加圧ポンプ１０の流入側の圧力Ｐs が入力される。制御部２２にはタイマＴ1 ，Ｔ2 等の制御時間があらかじめ設定されている。また、ポンプを強制停止する、及び又は、警報を発生する流入圧力設定値Ｐ1 が設定される。圧力設定値Ｐ1 は、例えば９８ｋＰａ（１０ｍＡｑ）程度の配水本管に悪影響を及ぼす恐れのある圧力である。
【００２２】
　時間Ｔ1 は、第一の圧力設定値Ｐ1 よりも流入圧力Ｐs が低い状態が継続した時に警報信号を出力する、または強制停止信号を出力するための継続時間であり、本実施例では３０秒程度である。そして、時間Ｔ2 は、流入圧力が圧力設定値Ｐ1 よりも高い状態が継続した時に強制停止信号あるいは警報信号を自動解除する場合の継続時間であり、本実施例では６秒程度である。
【００２３】
　ポンプをゆっくり起動する手段は、通常の給水装置ではインバータ２１のソフトスタート・ソフトストップのタイマは３〜５秒に設定されているが、このタイマを１０秒以上と長くして、電源の投入からゆっくり加速して所定の速度迄加速するものである。
【００２４】
　図３は、本発明の一実施例の流入圧力低下時の制御フローを示す。まず流入圧力Ｐs を流入圧力検出器１６から読み込む。そして流入圧力Ｐs が、設定圧力Ｐ1 よりも高いか低いかが比較される。設定圧力Ｐ1 よりも低い場合は、この状態がタイマＴ1 の時間、継続したか否かが判断される。継続した場合は、”ＹＥＳ”であり、強制停止、及び又は、警報信号が出力される。”ＮＯ”である場合は、強制停止、及び又は、警報信号は出力されない。
【００２５】
　次に流入圧力が回復して、流入圧力Ｐs が設定圧力Ｐ1 よりも高いか低いかが比較される。流入圧力Ｐs が設定圧力Ｐ1 よりも高い場合には、タイマＴ2 の時間、この状態が継続したか否かが判断される。”ＹＥＳ”である場合には、流入圧力が回復したと判断してポンプのゆっくり起動、及び又は、警報信号の解除が行われる。継続しない場合には”ＮＯ”であり、強制停止、及び又は、警報信号の解除は行われない。
【００２６】
　図４は、前述した制御フローに従った流入圧力が低下した時のポンプの運転状態を示す。図示するように時刻ｔ１ で何らかの状態で流入圧力Ｐs が突然低下したとする。この場合には、タイマＴ1 の時間だけ流入圧力Ｐs が設定圧力Ｐ1 よりも低い状態が継続したか否かの確認が為される。この場合には流入圧力が戻り、この時間（Ｔ1 ）内に設定圧力Ｐ1 を越えているので、タイマＴ1 の時間だけＰs ＜Ｐ1 の状態が継続していないので、ポンプ強制停止、及び又は、警報信号の出力には到らない。
【００２７】
　次に、時刻ｔ２ で、流入圧力Ｐs が低下し、設定圧力Ｐ1 よりも低い状態となり、時刻ｔ３ でタイマＴ1 の時間が経過したとする。流入圧力Ｐs が、設定圧力Ｐ1 よりも低下した状態が時間Ｔ1 継続したので、時刻ｔ３ でポンプ強制停止、及び又は、警報信号が出力される。ポンプ強制停止信号が出力されると、制御部２２はインバータ２１に停止信号を送り、ポンプが停止する。警報信号が出力された場合には、制御部２２は、制御盤よりブザーを鳴らす、あるいは警報ランプを点灯する等の手段により、監視員に流入側圧力の低下を知らせる。監視員は、状況を判断してポンプ強制停止等の措置をとる。
【００２８】
　ポンプ強制停止信号と警報信号とは、及び又は、の関係であるので、双方を同時に行ってもよく、又、いずれか片方のみを単独に行なってもよい。これは、給水装置の個々の状況に応じて適宜選択される。
【００２９】
　ポンプが停止すると、流入圧力Ｐs は一次的に回復する。しかしながら、流入圧力Ｐs の低下が配水本管から起因しており、その後も継続している場合には、流入圧力Ｐs は、再び設定圧力Ｐ1 より低下した状態となる。時刻ｔ４ では、流入圧力Ｐs が設定圧力Ｐ1 を越えるので、タイマＴ2 が作動し、この時間、流入圧力Ｐs が設定圧力Ｐ1 を上回っているか否かが判断される。
　本実施例においては、流入圧力Ｐs はすぐに設定圧力Ｐ1 を下回った状態に戻るので、ポンプの強制停止信号、及び又は、警報信号の解除は行われない。
【００３０】
　その後、配水本管の圧力が回復し、ポンプの流入圧力Ｐs が徐々に上昇し、設定圧力Ｐ1 を時刻ｔ５ で越えたとする。時刻ｔ５ でタイマＴ2 が作動し、この時間、流入圧力Ｐs が設定圧力Ｐ1 を越えているか否かが判断される。この場合には、タイマＴ2 の時間、流入圧力Ｐs が設定圧力Ｔ1 を上回った状態が継続していることが確実であるので、時間Ｔ2 経過後の時刻ｔ６ でポンプのゆっくり起動、及び又は、警報信号の解除を行う。ポンプがゆっくり起動すると、一時的な流入圧力の低下という問題が発生しないので、ポンプの起動停止が繰り返されるという問題が生じない。
【００３１】
　ちなみに、従来の運転方式においては、時刻ｔ1 で設定圧力Ｐ1 よりも低い状態になると、ポンプが停止し、流入圧力が設定圧力まで回復すると、ポンプが起動する。ポンプが起動すると、数秒間流入側の圧力が低下するので、またポンプが停止する。このようなポンプの起動停止が繰り返される状態が、発生していたが、上述した制御フローに従えば、このような問題が防止される。
【００３２】
　図５は、本発明の第２実施例の給水装置の制御部分の構成を示す。制御部２２には、流入圧力検出器１６から加圧ポンプ１０の流入側の圧力Ｐs が入力される。制御部２２にはタイマＴ1 ，Ｔ2 等の制御時間があらかじめ設定されている。また、圧力設定値Ｐ1 が設定される。圧力設定値Ｐ1 は、例えば１４７ｋＰａ（１５ｍＡｑ）乃至４９ｋＰａ（５ｍＡｑ）程度のポンプ吸入保護のための設定圧力である。
　タイマ時間Ｔ1 は、圧力設定値Ｐ1 よりも流入圧力Ｐs が低い状態がこの時間継続した時に警報信号を出力する、または強制停止信号を出力する継続時間であり、本実施例では６秒程度である。そして、タイマ時間Ｔ2 は、流入圧力が圧力設定値Ｐ1 よりも高い状態が継続した時に強制停止信号あるいは警報信号を自動解除する場合の継続時間であり、同様に６秒程度である。
【００３３】
　本実施例の制御装置２２には、起動停止頻度検出手段２３及びポンプ速度をゆっくり加速する手段２４を備えている。即ち、ポンプの起動停止が頻繁に繰り返されたならば、これを検出してポンプ起動時にポンプ速度をゆっくり加速する。例えば、ポンプの起動停止が１分間に３〜４回程度繰り返されたら、加速時間を通常の３〜５秒から１０〜２０秒程度に長くする。
【００３４】
　図６は、本発明の第２実施例の流入圧力低下時の制御フローを示す。まず流入圧力Ｐs を読み込む。そして流入圧力Ｐs が設定圧力Ｐ1 よりも高いか低いかが比較される。設定圧力Ｐ1 よりも低い場合は、この状態がタイマＴ1 の時間、継続したか否かが判断される。継続した場合は、”ＹＥＳ”であり、強制停止、及び又は、警報信号が出力される。”ＮＯ”である場合は、強制停止、及び又は、警報信号は出力されない。流入圧力Ｐs が設定圧力Ｐ1 よりも高くなった場合には、タイマＴ2 の時間、この状態が継続したか否かが判断される。”ＹＥＳ”である場合には強制停止、及び又は、警報信号が解除され、継続しない場合には”ＮＯ”であり、強制停止、及び又は、警報信号の解除は行われない。
【００３５】
　上述した所迄は、第１実施例の制御フローと同様であるが、使用水量が多い場合等で、尚、ポンプの起動停止が頻繁に繰返される場合がある。本実施例では、起動停止頻度をその検出手段２３により検出して、一定値（例えば毎分４回）と比較する。そして、一定値以上に起動停止頻度があれば、タイマＴ1の遅延時間を、例えば１０秒程度以上に長くする。
【００３６】
　図７（Ａ）は、従来例の制御フローに従った流入圧力が低下したときのポンプの運転状態を示す。図示するように時刻ｔ１ で何らかの状態で流入圧力が突然低下したとする。この場合には、タイマＴ1 の継続時間の確認が為されるが、この間にポンプ流入側圧力Ｐs が回復していないとポンプは停止する（時刻ｔ２ ）。そして、ポンプ流入側圧力Ｐs が設定圧力Ｐ1 に回復し、継続時間Ｔ2が経過すると、ポンプは直ちに起動することになる（時刻ｔ３ ）。ポンプが起動すると、特に使用水量が大きい時には、再び流入側の圧力が一時的に低下する。再び時間Ｔ1 後に流入側圧力Ｐs が回復していないとポンプが停止する。このようにして、ポンプの起動停止が繰返される。
【００３７】
　図７（Ｂ）に示す本実施例においては、このポンプの起動停止の頻度が計測される。そして、一定回数の繰返しが検出されると、ポンプの起動時間が自動的に延長される。即ち、ポンプ速度をゆっくり加速することにより、ポンプをゆっくり起動する。本実施例では、時刻ｔ２ から時刻ｔ４ の間のポンプの起動停止の繰返しが検出されると、時刻ｔ４ からｔ５ において、ポンプがゆっくり起動される。ポンプがゆっくり起動されると、流入側の一時的な圧力の低下が少なく、図示するように設定圧力Ｐ1 以下に低下しない。このため、以降の起動停止の繰返しが防止される。
【００３８】
　尚、ポンプをゆっくり起動する際の起動時間は、起動停止頻度の大きさに対応して設定するようにしてもよい。又、起動停止の繰返しが抑まる迄、段階的に長くしてゆき、最終的には、適切な長さを記憶装置に記憶して、次回のポンプ流入側圧力低下保護に用いるようにしてもよい。
【００３９】
　尚、通常の給水装置では、インバータ２１のソフトスタート・ソフトストップのタイマは３〜５秒に設定されているのが普通である。この時間をより長くすることが、ポンプ起動時に一次的に流入圧力が低下することを防止するが、一方で末端給水機器側に給水の水圧が上がってこないという不快感を与える。上述した各実施例では、強制停止後の再起動の場合のみ、このゆっくり立ち上がる時間を１０秒以上と長くするものである。この場合には、ポンプが一旦強制停止されているという状態なので、末端給水機器の使用者側としても再起動時に立ち上がる時間の長さは、それほど問題とはならない。
【００４０】
　また、給水装置では給水する量が少ない時に、ポンプの締切運転を防止するため、ポンプを一時的に停止する少水量停止動作が行われる場合がある。しかしながら、上述した実施例のようなポンプの強制停止からの再起動においては、少水量停止動作とは異なり、末端給水機器の蛇口が開いていて再起動時に大量の水が流れ、流入圧力がポンプの起動時に一時的に低下することが懸念される。このような条件下においては、一刻も早く使用者側に十分な圧力の水を供給することを優先しないで、ポンプを確実にゆっくり起動し、ゆっくり給水を再開することが使用者側にも、また給水装置側にも有利である。
【００４１】
　尚、以上の実施例は、水道の配水本管から末端給水機器に接続された、給水装置について説明したが、本発明の趣旨は、広くポンプを用いた給水制御装置全般に適用できるものである。又、上述した実施例においては、可変速モータ駆動による吐出圧力制御を併用する例について説明しているが、必ずしも吐出圧力制御を併用する必要は無く、流入圧力低下時の単独の制御としてもよいのは、勿論のことである。
【図面の簡単な説明】
【００４２】
【図１】直結型の給水装置のシステム構成の説明図。
【図２】本発明の第１実施例の制御部の構成を示す説明図。
【図３】本発明の第１実施例の流入圧力低下時の制御フロー図。
【図４】前記制御フロー図に従った給水装置の動作を示すタイムチャート。
【図５】本発明の第２実施例の制御部の構成を示す説明図。
【図６】本発明の第２実施例の流入圧力低下時の制御フロー図。
【図７】（Ａ）は従来例のタイムチャートであり、（Ｂ）は前記制御フロー図に従った給水装置の動作を示すタイムチャート。
【符号の説明】
【００４３】
　１０　　ポンプ
　１１　　モータ
　１２　　給水管
　１３　　吐出管
　１４，１５　　圧力タンク
　１６　　流入圧力検出器
　１７　　吐出圧力検出器
　１８　　逆止弁
　１９　　連結管
　２１　　インバータ（可変速手段）
　２２　　制御部
　２３　　起動停止頻度検出手段
　２４　　ポンプ速度をゆっくり加速する手段
　Ｐs　　流入側検出圧力
　Ｐ1　　流入側設定圧力
　Ｔ1 ，Ｔ2　タイマ時間
【図１】
2004003523.tif 000003
【図２】
2004003523.tif 000004
【図３】
2004003523.tif 000005
【図４】
2004003523.tif 000006
【図５】
2004003523.tif 000007
【図６】
2004003523.tif 000008
【図７】
2004003523.tif 000009